(57)【要約】  臨床検査室作業セルの入力ステーションでサンプルを自動的に分類し、最新の確立している遠心分離作業プロトコルに適った遠心分離要件を有するサンプルのみを、遠心分離機によって処理し、そして上記作業セルと関連したアナライザによって処理できるようにした方法。
2009515140.tif 000002
【特許請求の範囲】
【請求項１】
２つまたはそれ以上のアナライザおよび第１遠心分離プロトコルによって作動する少なくとも１つの遠心分離機をサンプル入力ステーションに接続するサンプル・コンベヤを有する自動臨床サンプル作業セルを操作する方法であって、実施しようとする検査および関連した遠心分離要件に従って入力ステーションでサンプルを分類すること；第１遠心分離プロトコルと同じ遠心分離要件を有するサンプルのみを遠心分離機に移動すること；および第１遠心分離プロトコルに従って遠心分離機によってサンプルを遠心分離することによる方法。
【請求項２】
さらに、第１プロトコルに合致しない第２プロトコルに従って遠心分離要件を有するサンプルを入力ステーションに保持すること；遠心分離作業を第２プロトコルに切り替えること；保持されたサンプルを遠心分離機に移送すること；および第２プロトコルに従って遠心分離機によってサンプルを遠心分離することを含む、請求項１記載の方法。
【請求項３】
第１遠心分離プロトコルが化学アナライザで処理しようするサンプル用である、請求項２記載の方法。
【請求項４】
第２遠心分離プロトコルが凝固アナライザで処理しようとするサンプル用である、請求項２記載の方法。
【請求項５】
第１、第２の遠心分離プロトコルが同一である請求項２記載の方法であって、該方法がコンベヤ上にすべてのサンプルを置くこと；および遠心分離機によってすべてのサンプルを遠心分離することを含む方法。
【請求項６】
さらに、実施しようとする検査を実施するように適合されたアナライザにサンプルを送達するためにコンベヤを作動させることを含む、請求項１記載の方法。
【請求項７】
２つまたはそれ以上のアナライザおよび第１遠心分離プロトコルで作動する２つまたはそれ以上の遠心分離機をサンプル入力ステーションに接続するサンプル・コンベヤを有する自動臨床サンプル作業セルを操作する方法であって、実施しようとする検査および関連した遠心分離要件に従ってサンプルを入力ステーションで分類すること；第１遠心分離プロトコルと同じ遠心分離要件を有するサンプルのみを遠心分離機のうちいずれか１つに移送すること；および第１遠心分離プロトコルに従って遠心分離機によって、サンプルを遠心分離することによる方法。
【請求項８】
さらに、第１プロトコルと合致しない第２プロトコルに従う遠心分離要件を有するサンプルを入力ステーションに保持すること；１つの遠心分離機の遠心分離作業を第２プロトコルに切り替えること；保持されたサンプルを上記１つの遠心分離機に移送すること；および第２プロトコルに従って上記１つの遠心分離機によって、サンプルを遠心分離することを包含する、請求項１記載の方法。
【請求項９】
２つまたはそれ以上のアナライザ、第１遠心分離プロトコルによって作動する第１遠心分離機および第２プロトコルによって作動する第２遠心分離機をサンプル入力ステーションに接続するサンプル・コンベヤを有する自動臨床サンプル作業セルを操作する方法であって、実施しようとする検査および関連した遠心分離要件に従ってサンプルを入力ステーションで分類すること；第１遠心分離プロトコルと同じ遠心分離要件を有するサンプルのみを第１遠心分離機に移送すること；第２遠心分離プロトコルと同じ遠心分離要件を有するサンプルのみを第２遠心分離機に移送すること；第１遠心分離プロトコルに従って第１遠心分離機によって、サンプルを遠心分離すること；および第２遠心分離プロトコルに従って第２遠心分離機によってサンプルを遠心分離することによる方法。
【請求項１０】
サンプル容器装填・取り出しステーションと、第１および第２の遠心分離プロトコルを有する少なくとも１つの遠心分離機と、少なくとも２つのアナライザと、上記サンプル容器装填・取り出しステーションから上記遠心分離機へ、そして上記遠心分離機から上記アナライザへサンプル容器を移送するように適合されたコンベヤと、上記サンプル容器内に収容されたサンプルについて実施しようとする検査を決定する識別手段と、上記サンプル容器内に収容されたサンプルについて実施しようとする検査のための遠心分離要件を決定する手段と、遠心分離要件が上記第１または第２の遠心分離プロトコルに合致するかどうかを決定する制御手段と、遠心分離機を上記第１または第２の遠心分離プロトコルに合致するように上記第１および第２の遠心分離プロトコル間で変換する手段とを含む、自動臨床サンプル作業セル。
【請求項１１】
サンプル容器装填・取り出しステーションが、第１または第２の遠心分離プロトコルと合致するように上記第１および第２の遠心分離プロトコル間で遠心分離機が変換されるまで、サンプル容器を保持するように適合された、請求項１０記載の作業セル。
【請求項１２】
サンプル容器装填・取り出しステーションと、第１遠心分離プロトコルを有する第１遠心分離機と、第２遠心分離プロトコルを有する第２遠心分離機と、少なくとも２つのアナライザと、上記サンプル容器装填・取り出しステーションから上記遠心分離機へ、そして上記遠心分離機から上記アナライザへサンプル容器を移送するように適合されたコンベヤと、上記サンプル容器内に収容されたサンプルについて実施しようとする検査を決定する識別手段と、上記サンプル容器内に収容されたサンプルについて実施しようとする検査のための第１および第２の遠心分離要件を決定する手段と、第１遠心分離要件を有するサンプルを第１遠心分離機に移送し、第２遠心分離要件を有するサンプルを第２遠心分離機に移送する制御手段とを含む、自動臨床サンプル作業セル。
【請求項１３】
遠心分離要件が、処理されているサンプル流体に基づくサンプルについての要件である、請求項１記載の方法。
【請求項１４】
遠心分離要件が、サンプルについて実施しようとする評価分析に基づくサンプルについての要件である、請求項１記載の方法。
【請求項１５】
遠心分離要件が、作業セルに接続されていないアナライザで処理しようとするサンプルについての要件である、請求項１記載の方法。
【請求項１６】
遠心分離要件が、使用者定義のアナライザで処理しようとするサンプルについての要件である、請求項１記載の方法。
【発明の詳細な説明】
【技術分野】
【０００１】
本発明は、自動コンベヤ・システムで供給されたサンプルを有する２つまたはそれ以上の独立アナライザを備える自動臨床サンプル取り扱い作業セルに関する。一層詳しくは、本発明は、このような自動臨床サンプル取り扱い作業セル（workcell）内でこのようなアナライザにより分析を行う前に遠心分離作業を必要とする予備検定処理にかかわる種々のプロセスを管理する方法に関する。
【背景技術】
【０００２】
多種多様な自動化学アナライザがこの技術分野で知られており、分析メニューおよび処理量を増やし、所用時間を短縮し、必要な試料体積を減らすように絶えず改良されている。これらの改良は、それ自体有用でありながら、予備分析サンプル調製・取り扱い領域に充分なそれ相応の進歩がなければ阻まれる可能性がある。サンプル調製・取り扱いとしては、選別、バッチ調製、サンプル成分を分離するためのサンプル・チューブの遠心分離、流体出入りを容易にするキャップ除去などがある。
【０００３】
自動サンプル調製システムは、市販されており、一般的に、米国特許第５,１７８,８３４号および同第５,２０９,９０３号に記載されているような臨床アナライザに被検物を搬送するコンベヤ・システムの使用を含んでいる。これらのコンベヤ・システムの多くは、特殊なアナライザおよび他の取り扱い機器を含む全統合システムの統合された専用部分であるという欠点がある。米国特許第６,０６０,０２２号または米国特許出願第１０／６３８,８７４号（参照によりこれらの全体が本明細書に組み込まれる）に記載されているように、最近ではより汎用的なサンプル取り扱いシステムが導入されている。これらの「作業セル」は、自動的に臨床サンプルを処理し、開いた容器内の予め処理されたサンプルを、独立したスタンドアロン・アナライザと連動して作動するロボット装置に与えるようになっている。
【０００４】
一定の検査室臨床化学検査のためには、ほとんどの場合遠心分離によって全血から得た血漿が分析に使用される。凝固を防ぐために、血液被検物を得た直後にクエン酸塩またはヘパリンのような抗凝固剤を添加するか、または患者サンプルを最初に得る場合真空採血チューブ内に抗凝固剤を存在させる。次いで、被検物を遠心分離にかけて血球から血漿を分離する。所望に応じて、その後の分析のためにほとんど無期限に血漿を−８０℃以下で凍結してもよい。
【０００５】
多くの生化学的な検査の場合、互換性を持って血漿および血清を用いることができる。血清は、組成の点で血漿に類似しているが、凝固因子を欠いている。血清を得るには、遠心分離の前に血液被検物を凝固させる。このために、血清分離チューブを用いることができるが、この血清分離チューブは、凝固を容易にする不活性触媒（たとえば、ガラスビーズまたはガラス粉）を収容しており、さらに分離を便利にするのに遠心分離後にチューブ内の液体層、細胞層間に位置させるように設計した密度を有する一部のゲルを含有する。
【０００６】
凝固検査では、すべての凝固因子を保存しなければならない。したがって、血清はこれらの検査には不適当である。通常、クエン酸塩の抗凝固効果は濃度に依存し、検査のために逆にすることができるので、クエン酸塩入り真空採血チューブが使用される。
【０００７】
さらに、血漿内の抗凝固物質が時々或る種の分析結果の妨げとなる可能性があるので、血清の方が多くの検査にとって好ましい。種々の抗凝固物質が種々の検査の妨げとなるので、血清を使用するということは、同じサンプルを多くの検査について使用できるということを意味する。タンパク電気泳動法においては、血漿を使用するということは、可視的で付加的なバンドを生じさせ、これがパラプロテインと間違えられる惧れがある。
【０００８】
このようなサンプル調製システムと関連した臨床化学診断アナライザは、生物学的サンプル、たとえば尿、血清、血漿、脳脊髄液などについて化学的評価分析（chemical assay）およびイムノアッセイを自動的に実施するようになっている。これらのサンプルは、一般的に、キャップで閉ざされたサンプル・チューブ内に収容されている。キャップで閉ざされた状態で、サンプルを遠心分離操作にかけ、サンプル成分を分離してから検査を行う。患者の生物学的サンプルの被検物質と、評価分析を行うのに用いられる試薬との化学反応が種々の信号を生成し、これらをアナライザによって測定できる。これらの信号から、サンプル内の被検物質の濃度を算出できる。
【０００９】
血友病のような出血状態を診断するには別のタイプのサンプル分析・凝固検査が用いられる。その場合、１２の血液凝固因子のうち１つまたはそれ以上に欠損があり得る。普及している診断検査としては、活性化部分トロンボプラスチン時間（ａＰＴＴ）、プロトロンビン時間（Ｐｔ）および活性凝固時間（ＡＣＴ）がある。普及している検査室凝固検査では、通常、濁度測定技術またはその他の測定技術を使用する。ほとんどの凝固検査の場合、全血サンプルは、クエン酸塩バキュテナー（vacutainer）に集め、遠心分離にかけて血漿サンプルを得る。評価分析は血漿を使って行い、これに充分に過剰なカルシウムを添加してクエン酸塩の作用を中和している。秒単位で知らされるＰＴは、トロンボプラスチンとカルシウムの混合物を添加した後に血漿サンプルがどのくらいで凝固するかを表している。ａＰＴＴは、試薬（シリカやリン脂質のような負電荷アクチベータ）による第ＸＩＩ因子の活性化からフィブリン塊の形成までの血漿の凝固時間を測定する。活性凝固時間（ＡＣＴ）は、高投与ヘパリン治療の効果をモニタするのに使用する検査である。しかしながら、ＡＣＴ検査は、ヘパリン注入によって汚染されなかった部位からの未希釈の血液を使用する。全血サンプルは、適切な検査バイアルへ転送し、アクチベータと混合させ、このときＡＣＴアナライザのタイマーが起動する。
【発明の開示】
【発明が解決しようとする課題】
【００１０】
検査室全体の分析処理量は、種々のタイプのアナライザを相互にリンクさせ、各アナライザが単一の作業セル内で一定の評価分析メニューを実施するようにすることによって増大する可能性がある。しかしながら、臨床化学分析、凝固分析の両方を同じ作業セルにリンクさせた場合、種々タイプの検査のため種々の適切に分離したサンプルを作り出すのに種々の遠心分離プロセスを必要とするかも知れないので、問題が生じる。分析検査を全血、血漿または血清に実施することができ、時には血漿または血清のいずれかを使用できることは、上記の考慮から明らかである。したがって、アナライザのどれでどんな検査を実施しようとするかに応じて、種々のサンプルについて種々の遠心分離プロセスが必要となる可能性がある。種々の回転速度および種々の時間が、種々のサンプルについての「遠心分離プロトコル」と以下で称するものを構成する変数の例である。したがって、自動システムは、高度のサンプル取り扱い・処理量を可能にしてきたが、自動臨床サンプル取り扱い用作業セル内で異なった遠心分離作業、種々の遠心分離プロトコルを必要とするサンプルを取り扱うことに伴う困難に取り組んでこなかったのである。
【課題を解決するための手段】
【００１１】
本発明によれば、２つまたはそれ以上の独立した凝固アナライザ、臨床化学アナライザを有する自動臨床サンプル取り扱い作業セルの入力ステーションで分析前に患者サンプルを検出して分類し、最新の確定している遠心分離作業プロトコルに合致する分析前遠心分離要件を持つサンプルのみを、遠心分離機および前記作業セルと関連したアナライザによって後で処理することを可能にすることが提供される。もしサンプルが最新の確定している遠心分離作業プロトコルに合致する遠心分離要件を持っていなければ、そのサンプルは遠心分離作業プロトコルが適切に切り替えられるまで入力ステーションに保留される。もしサンプルが最新の確定している遠心分離作業プロトコルに合致する遠心分離要件を持っているならば、そのサンプルは遠心分離機による通常の方法で処理され、次いで遠心分離機が臨床化学検査または凝固検査のための遠心分離プロトコルに従って作動しているかどうかに応じて化学アナライザまたは凝固アナライザのいずれかによって処理される。
【００１２】
本発明ならびに他の目的およびさらに別の特徴をより良く理解して貰うため、種々の好ましい実施形態の以下の詳細な説明を添付図面と関連させながら述べる。
【００１３】
図１は、本発明を有利に使用できるいくつかの化学分析前処理装置およびいくつかのアナライザと協働して制御されるコンベヤを含む自動サンプル取り扱いシステムの簡略化した概略平面図である。
【発明を実施するための最良の形態】
【００１４】
図１は、アナライザ３２、３８または４２による分析の前に複数のサンプル・ラック１８に収容された複数のサンプル容器２０、一般的にはサンプル試験管２０を自動的に前処理できる自動臨床化学サンプル取り扱い作業セル１０を示している。一般的には、自動的に処理しようとする被検物は、キャップで閉ざされた容器２０内に収容されてサンプル取り扱い作業セル１０に供給される。サンプル容器２０の各々は、センサ１９によって機械読み取り可能であり、患者の識別ならびにその中のサンプルに対して行おうとする評価分析作業を示す識別マーク、たとえばバーコードを備えている。容器２０は、一般的には、付加的な識別マークを有するラック１８内に保持される。
【００１５】
サンプル取り扱い作業セル１０は、作業ベース１２を含み、この作業ベース上で、ベルト様コンベヤトラック１４が、サンプル容器キャリヤ２２に担持された個々のサンプル・チューブ容器２０を、後述の理由のために複数のラック１８を有し、ならびに作動中の入力レーンを有するサンプル容器装填・取り出しステーション１６から自動遠心分離機２４に移送し、そこからキャップで閉ざされたサンプル容器２０からキャップを自動的に取り外すための自動チューブキャップ取り外し器３０に移送し、そして、そこから１つまたはそれ以上のアナライザ３２、３８および４２に移送し、その後各サンプル容器２０をサンプル・チューブ装填・取り出しロボット・ステーション１６に戻す。ここで、４つ以上のアナライザ３２、３８、４２（説明を簡単にするために３つしか示していない）をコンベヤ・トラック１４によってリンクできることは勿論である。遠くに離れたアナライザ４３は、作業セル１０に直接リンクされていなくても、たとえば独立ロボット・システムを介して作業セル１０によって使用され得る。サンプル取り扱い作業セル１０は、各サンプル・チューブ・キャリア２２上またはその中に置かれた識別マークによってサンプル・チューブ容器２０の位置を検出するための多数のセンサ１９を有する。このような追跡作業で従来のバーコード・リーダを使用してもよい。
【００１６】
遠心分離機２４および各アナライザ３８、４２、３２は、一般的に、それぞれ、種々のロボット機構２６、２８、４０、４４、またはトラック３４および３６を備えており、サンプル・チューブ・キャリア２２をトラック１４から取り出し、それを遠心分離機２４に、またはそこからそれぞれのアナライザ３８、４２、３２に、およびそこから、またはその内外へ移動させることができる。典型的には、装填・取り出しステーション１６は、従来通りにロボット・クランピング・ハンドを備える少なくとも２つのＸ−Ｙ−Ｚロボットアーム２１を含む。
【００１７】
サンプル取り扱い作業セル１０は、従来通りにプログラムされたコンピュータ１５（好ましくはマイクロプロセッサ・ベースの中央演算処理装置ＣＰＵ１５）によって制御される。コンピュータ１５は、システム１０の一部としてまたはそれとは別体に収容してあって、各作業ステーション２４、３０、３２、３８、４２、１６へのサンプル・チューブ・キャリア２２の移動を制御する。各作業ステーションのところで、後述するように、種々タイプの評価分析処理が行われる。ＣＰＵ１５は、イリノイ州ディアフィールドのDade Behring Inc.の販売するDimension(R)型臨床化学アナライザで使用され、コンピュータ・ベースの電気機械制御プログラミングの当業者に一般的であるソフトウェア、ファームウェアもしくはハードウェア・コマンドまたは回路などに従ってサンプル取り扱いシステム１０を制御する。
【００１８】
本発明は、サンプル調製のためにおよび患者の生物学的サンプルの臨床分析のために使用される複数の相互関係のある自動装置を充分に表示する種々の制御スクリーンおよび状態情報表示スクリーンに使用者が容易かつ迅速にアクセスできるようにするコンピュータ・インタフェース・モジュールＣＩＭを使用して実現できる。このようなＣＩＭは、好ましくは複数の相互関係のある自動装置の作動状態についてのオンライン情報ならびに任意特定のサンプルおよびこのサンプルに行おうとする臨床検査の状態を示す情報を含む複数の追加の表示スクリーンに直接リンクした第１の表示スクリーンを使用する。したがって、ＣＩＭは、操作者と自動臨床分析システム１０との相互作用を容易にするようになっている。この場合、モジュールは、操作者を臨床分析システムと結びつけることができる、アイコン、スクロールバー、ボックスおよびボタンを含むメニューを表示するようになっている視覚タッチスクリーンを含み、メニューは、臨床分析システムの機能的な特徴を表示するようにプログラムされた多数の機能ボタンを含む。
【００１９】
上述したように、アナライザ３２が、たとえば臨床化学アナライザ３２であり、アナライザ３８が凝固アナライザである上記の例においては、種々の遠心分離プロトコルが遠心分離機２４内で確定されて、化学アナライザ３２または凝固アナライザ３８による検査のための適切に予備評価分析処理されたサンプルを提供しなければならない。前述のように、サンプル容器２０は、センサ１９で読み取ることができ、その中に入っているサンプルについて行おうとする評価分析作業を示す識別マークを備えている。コンピュータ１５は、評価分析が臨床化学分析であるか凝固分析であるかどうか、アナライザ３２、３８、４２のどれがこのような分析を実施するようになっているか決定するようにプログラムされている。
【００２０】
本発明は、臨床サンプル取り扱い作業セル１０内で種々の遠心分離作業プロトコルを必要とするサンプルを取り扱うのに関係する種々のプロセスを管理する方法である。先に説明したように、単一の作業セル１０上で臨床化学検査サンプル、凝固検査サンプルの両方を組み合わせるには、種々の回転速度もしくは時間またはこれら両方を含む上記の遠心分離作業プロトコルによる、サンプル調製プロセス中の臨床化学サンプルと凝固サンプルの分離が必要である。一つの実施形態においては、これらの必要性は、後の臨床化学分析のためのサンプルを予備処理するための第１遠心分離機と、後の凝固分析のためのサンプルを予備処理するための第２遠心分離機とを設けることによって満たすことができる。代替として、それぞれが後の臨床化学分析、凝固分析のために調節された第１、第２の作業プロトコルを有する単一の遠心分離機２４内で個別のサンプル・バッチを処理してもよい。もう一つの代替は化学分析サンプル、凝固サンプルの両方を適切に分離する一連の遠心分離プロトコルを有効にするための検査室用である。本発明は、上記の代替状況のうちのいずれかで適用できる。
【００２１】
本発明の方法は、作業セル１０の装填・取り出しステーション１６で凝固サンプル、化学分析サンプルの検出および分類を行うことができ、最新式で確定されており、化学および／または凝固のためのサンプルを調製するように調節された遠心分離作業プロトコルに合致する遠心分離要件を有する容器２０内のサンプルのみを処理および分析のためにロボットアーム２１によってベルト１４上に置くことができる。容器２０のサンプルが最新の確定している遠心分離作業プロトコルに合致する遠心分離要件を持たない場合、容器２０は、ステーション１６で利用可能な入力ラック１８に戻され、遠心分離作業プロトコルが適切に切り替えられるまでそこに保持される。容器２０のサンプルが最新の確定している遠心分離作業プロトコルに合致する遠心分離要件を有する場合、サンプル容器２０は、装填・取り出しステーション１６によってベルト１４上へ置かれ、遠心分離機２４が化学検査または凝固検査のために遠心分離プロトコルに従って作動しているかどうかに応じて、遠心分離機２４によって次いで化学アナライザ３２または凝固アナライザ３８のいずれかによって通常の方法でその後処理される。容器２０が最新の確定している遠心分離作業プロトコルに合致する遠心分離要件を有するかどうかを決定するためには、その中のサンプルについて行おうとする評価分析作業を示す、サンプル容器上の識別マークをセンサ１９で読み取り、この情報を使用してこのような決定を行う。
【００２２】
ラック１８内の容器２０内のすべてのサンプルは、最新の確定している遠心分離作業プロトコルに合致する遠心分離要件を有する場合は本発明に従ってベルト１４上に置かれ、または最新の確定している遠心分離作業プロトコルに合致しない遠心分離要件を有する場合の結果として、同様に本発明に従ってラック１８内に戻される。ベルト１４上に置かれた容器２０は、ベルト１４によって遠心分離機２４まで搬送され、そこにおいて適切な遠心分離プロトコルが容器２０内のサンプルに対して行われる。最新の確定している遠心分離作業プロトコルに合致しない遠心分離要件を有する結果としてラック１８に戻されたあらゆる容器２０は、遠心分離作業プロトコルが適切に調節された後にのみ遠心分離にかけられる予定の次のサンプル・バッチ内に含まれることになる。こうして、本発明は、相反する遠心分離要件が存在する場合達成できる限り先入れ先出しに近い処理オーダーを創り出す。
【００２３】
明らかに、化学アナライザおよび凝固アナライザが共通の遠心分離要件を持つ場合には、サンプルの分離は不要であり、臨床化学サンプルおよび凝固サンプルの両方が単一の遠心分離バッチ内で混ざり合ってもよい。
【００２４】
二つ以上の遠心分離機２４が作業セル１０内にある場合、たとえば装置４２も遠心分離機である場合には、本発明は、複数の遠心分離機の各々について専用の遠心分離バッチを創り出し、各遠心分離機２４が、異なった遠心分離機ごとの上記のプロセスを繰り返すことによって臨床化学サンプルまたは凝固サンプルを適切に調製するようになっている。したがって作業セル１０に与えられているサンプルの多様性に応じて任意組み合わせの遠心分離バッチを形成できる。たとえば、装置２４、４２の両方が遠心分離機である場合には、したがって２つの遠心分離作業セルを創り出す場合には、ほんの一例として、遠心分離機２４を臨床化学サンプルを処理するようにセットアップし、遠心分離機４２を凝固サンプルを処理するようにセットアップしてもよいし、または遠心分離機２４、４２の両方を臨床化学サンプルを処理するようにセットアップしてもよいし、または遠心分離機２４、４２の両方を凝固サンプルを処理するようにセットアップしてもよいし、または遠心分離機２４を凝固サンプルを処理するようにセットアップし、遠心分離機４２を化学サンプルを処理するようにセットアップしてもよい。このような融通性は、装入サンプル負荷で化学サンプルまたは凝固サンプルのいずれかの含量がかなり大きい場合作業セル１０の処理量を最大にする。明らかに、このような配置は、単一の遠心分離機の故障による影響を最小限に抑える。
【００２５】
ここで、本発明の一例として、各装置３２、３８および４８をセットアップし、コンピュータ１５によって制御して、サンプルが処理のために適切に調製されるように必要とされる「遠心分離プロトコルセット」を定める例を考える。例示の値は、「化学」および「凝固」である。従来の臨床化学アナライザが「化学」としてセットアップされることになり、従来の凝固アナライザが値「凝固」を割り当てられることになる。したがって、遠心分離パラメータ・セット＝｛化学、凝固｝が定義される。
【００２６】
したがって、遠心分離機２４は、コンピュータ１５によってセットアップ、制御されて各「遠心分離パラメータ・セット」に対して個別の遠心分離プロトコルを維持することになる。たとえば、「化学遠心分離パラメータ・セット」は、１０分間の２,７００回転数／分の回転速度を特定し、「凝固遠心分離パラメータ・セット」は、１２分間の３,０００回転数／分の回転速度を特定するかもしれない。
【００２７】
さらに、尿被検物対血清／血漿被検物について種々の遠心分離プロトコルを持つことが望ましい場合がある。したがって、遠心分離要件は、処理されている種々のサンプル流体で異なる可能性がある。たとえば、尿対血清／血漿被検物についての種々の遠心分離プロトコルを有すると望ましいかも知れないこともさらに予想される。また、この遠心分離プロトコルがアナライザ３２、３８、４２、４３から選ばれた使用者定義のアナライザで処理しようとするサンプル用であってよい可能性もあり得る。
【００２８】
さらにまた、タンパクＳのような敏感な凝固評価分析、およびこのカテゴリ内にある他の評価分析の場合には、分析のためにサンプルを分析装置に与える前に一定の凝固サンプルを２回以上遠心分離することが必要な場合がある。したがって、その遠心分離プロトコルは、特殊なオーダーの評価分析に応じて種々のサンプル流体で異なる可能性がある。
【００２９】
前述したように、本発明によれば、化学および凝固のための遠心分離プロトコルが互いに合致しない場合、たとえば化学アナライザ３２または凝固アナライザ３８によって処理しようとするサンプルは、遠心分離機２４によって同時に遠心分離され得ないことになる。
【００３０】
容器２０内のサンプル・バッチをベルト２４によって遠心分離機２４に移送したとき、ロボット装置２６、２８は、容器を遠心分離機バケット・インサート内に置き、このインサートを遠心分離機２４内に置く。最新定義の「凝固遠心分離プロトコル」は、コンピュータ１５に保存され、容器２０が処理されている間に操作者によって要求される作業プロトコルの変化の原因となるどのような潜在的なエラーをも排除することになる。同様に、遠心分離バッチが開始したときにはいつでも、手動で維持されるかまたはコンピュータ１５内に自動的に記録される「プロセス・ログ」は、化学プロトコルまたは凝固プロトコルが使用されているかどうかを示しているエントリを含むことになる。化学、凝固遠心分離条件が同一である場合には、この「遠心分離パラメータ・セット」ログ・エントリは省略してもよい。
【００３１】
本発明のより詳細な例証として、ここで必要な化学、凝固遠心分離プロトコルが異なっている例を考える。入力ラック１８は、装填／取り出しロボット・ステーション１６に押し込まれたとき、順番に待ち行列に入れられる。処理しようとする第１のラック１８は、化学遠心分離バッチまたは凝固遠心分離バッチを開始することになるかどうかをその中味に基づいて確定する。操作者は、化学サンプル容器２０のみまたは凝固サンプル容器２０のみを備えた各ラック１８のみを装填して全体の処理効率を改善する。以下の処理工程が、コンピュータ１５により実現され、制御される。
【００３２】
１．システム１０はアイドルにある（作業セル１０上にラック１８がない）。
２．操作者は、容器２０のいくつかのラック１８を装填／取り出しロボット・ステーション１６内の動的レーンに挿入する。
３．ラックＩＤが読まれ、ラック１８が処理のための待ち行列に入れられる。
４．入力ラック１８から取り出された第１のコンテナ２０が識別されて化学サンプルとして分類される。
５．第１のラック１８は化学遠心分離バッチに属することになる。
６．引き続いての容器２０がラック１８から取り出され、遠心分離機２４に送られる。
７．第１のラック１８が空になったとき、次の待ち行列に入れられた入力ラック１８が取り出される。
ｉ．前記次の待ち行列の入力ラック１８から取り出された第１のコンテナ２０が化学サンプルでない場合（すなわち、すべての依頼された検査が凝固検査であると識別された場合）、容器２０はラック１８に戻され、故にラック１８は凝固遠心分離バッチに属することになる。
ｉｉ．前記次の待ち行列の入力ラック１８から取り出された第１のコンテナ２０が化学サンプルである場合、それはコンベヤ・トラック１４上に置かれ、遠心分離機２４に送達され、次いでそのラック１８からの連続した各容器２０が同様に処理される。
８．すべての化学容器２０が待ち行列にある入力ラック１８から取り出されたときまたは遠心分離機バケットが満たされたとき、遠心分離バッチが回転させられる。
９．遠心分離バッチが開始する毎に、装填／取り出しロボット・ステーション１６は、コンピュータ１５により制御されて最も古い待ち行列の入力ラック１８に移り、新しい遠心分離バッチを調製する。
ｉ．凝固サンプルを入れたラック１８が先に検査を受けていた場合、このラック１８が装填されて凝固遠心分離バッチを形成する。
ｉｉ．ラック１８または容器２０が先に検査を受けておらず、バイパスされていなかった場合、次の遠心分離バッチは、処理のためにピックアップされた次の待ち行列の入力容器２０により決定されることになる。
【００３３】
本発明の上記の具体例に従えば、この順序で装填／取り出しロボット・ステーション１６に挿入された７つのラック１８を含む例の結果は次の通りである。
１）４８の化学サンプルを有するラック１
２）３６の凝固サンプルを有するラック２
３）４８の化学サンプルを有するラック３
４）４８の化学サンプルを有するラック４
５）４８の凝固サンプルを有するラック５
６）３０の化学サンプルを有するラック６
７）１０の凝固サンプルを有するラック７
【００３４】
本発明によれば、システム１０は以下の通りに作動することになる。
１）遠心分離バッチ１
８０の化学サンプル
−ラック１からの４８
−ラック２（凝固サンプル）からの００
−ラック３からの３２
２）遠心分離バッチ２
８０の凝固サンプル
−ラック２からの３６
−ラック３（化学サンプル）からの００
−ラック４（化学サンプル）からの００
−ラック５からの４４
３）遠心分離バッチ３
８０の化学サンプル
−ラック３からの１６
−ラック４からの４８
−ラック５（凝固サンプル）からの００
−ラック６からの１８
４）遠心分離バッチ４
１４の凝固サンプル
−ラック５からの０４
−ラック６（凝固サンプル）からの００
−ラック７からの１０
５）遠心分離バッチ５
１２の化学サンプル
−ラック６からの１２
【００３５】
操作者が動的入力レーン１８に置かれた単一のラック１８内で化学容器、凝固容器２０を混ぜた場合、ラック所属に合致しない（化学／凝固）としてラック１８に戻されるいずれの容器２０も後に処理されることになる。上記の例において、２つの化学容器２０がラック５の容器２０とともにその中に混ぜられた場合、遠心分離バッチ結果は以下の通りに変わることになる。
【００３６】
代わりの工程４）遠心分離バッチ４
１２の凝固サンプル
−ラック５からの０２
−ラック５内の残っている０２サンプルは化学サンプルである
−ラック６（化学サンプル）からの００
−ラック７からの１０
代わりの工程５）遠心分離バッチ５
１４の化学サンプル
−ラック５からの０２
−ラック６からの１２
【００３７】
装填／取り出しロボット・ステーション１６内に優先入力（Priority Input）の特徴がある場合、本発明は同じように作動する。ＳＴＡＴラック１８が挿入されるとき、ロボット２１は正規の入力ラック１８からの容器２０の処理を中断することになる。ＳＴＡＴサンプルが最新の遠心分離バッチに合致する場合、それは遠心分離機２４に送られる。合致しない場合には、それは、次の利用できる遠心分離バッチで処理するために優先入力ＳＴＡＴラック１８に戻されることになる。化学、凝固容器２０の両方が次の遠心分離バッチのための優先入力ラック内で待機することが可能である。この場合、優先入力ラック内の最も古いチューブが、次に開始する遠心分離バッチを確定することになる。
【００３８】
当業者であれば、本発明が広範囲にわたる有用性および用途に適用可能であることは容易に理解できよう。本明細書に開示したもの以外の本発明の多くの実施形態および適合、ならびに多くの変更、修正および均等な配置が、本発明の本質または範囲から逸脱することなく本発明およびその前記の説明から明らかであり、またそれらによって合理的に示唆されている。たとえば、コンピュータ１５の機能は、本発明の本質または範囲から逸脱することなく、独立して作動可能な装置１６、２４、３２、３８、４２の間で割り当てることも可能であり、例示の遠心分離条件を変えることも可能であり、作業セル１０などのレイアウトを変えることもできる。遠心分離プロトコルによって作業セル１０に接続していない遠くに離れたアナライザ４３でサンプルを処理し、作業セル１０からそれを取り出し、遠くに離れたアナライザ４３で分析するということも本発明では想定される。さらに、遠心分離要件を、特定の評価分析分類を可能にする検査オーダーを持たないサンプル用とすることも本発明では想定される。
【００３９】
したがって、本発明を特定の実施形態に関連して詳細に本明細書で説明してきたが、当然ながらこの開示は、本発明の実例、例示にすぎず、単に本発明の十分かつ可能にする開示を提供するために行ったにすぎない。前述の開示が、本発明を限定したり、または他のあらゆるこのような実施形態、適合、変更、修正、均等配置を排除することを意図したり、解釈されるべきではなく、本発明は本明細書に添付した特許請求の範囲およびその均等物によってのみ限定されるものである。
【図面の簡単な説明】
【００４０】
【図１】本発明を有利に使用できるいくつかの化学分析前処理装置と協働して制御されるコンベヤを含む自動サンプル取り扱いシステムの簡略化した概略平面図である。
【図１】
2009515140.tif 000003